(57)【要約】      （修正有）【課題】外観に個性を持たせることができ、贈答や販促にも適する手提袋を提供する。【解決手段】手提袋は、側面部４ａが、開口部６に向けて伸びるマチ縦折線４６ａを有し、マチ縦折線に直交して側面部を上下に分断する切り込みを有し、切り込みより上側は、マチ縦折線に沿って山折りに折り曲げることにより正面視で袖状の張出部４５ａとなり、また、正面部２の上方中央に、底辺の中点と対となる頂点とを結ぶ中線に沿って切れ目を有し切れ目に沿って観音開きに開くことによって前襟状となる逆三角形の第１装飾部８４と第１装飾部の両斜辺に連設され正面部に取り付ける接着部８１とを有する襟用装飾片を備える。【選択図】図１
0003218812.tif 000002
【実用新案登録請求の範囲】
【請求項１】
正面部と、背面部と、マチとなる一対の側面部と、を有し、下側が底面部で閉塞され上側に開口部を有する折り畳み可能な有底角筒状の袋体本体を有する手提袋であって、
（Ａ）前記一対の側面部が、それぞれ、前記開口部に向けて伸びるマチ縦折線を有し、前記マチ縦折線に直交して前記側面部を上下に分断する切り込みを有し、前記切り込みより上側は、前記マチ縦折線に沿って山折りに折り曲げることにより正面視で袖状の張出部となり、
（Ｂ）底辺の中点と対となる頂点とを結ぶ中線に沿って切れ目を有し前記切れ目に沿って観音開きに開くことによって前襟状となる逆三角形の第１装飾部と、前記第１装飾部の両斜辺に連設され前記正面部に取り付ける接着部と、を有する襟用装飾片を備えることを特徴とする手提袋。
【請求項２】
さらに、前記正面部と前記背面部と前記側面部のそれぞれの上端に連設され前記袋体本体の内側に折り込んで形成される折込部を備え、
前記正面部及び前記背面部が、それぞれの上端に、手提用の紐を通す紐通し穴を２カ所ずつ設けてあり、
前記正面部と前記折込部との間と、前記背面部と前記折込部との間には、それぞれ、紐取付板が挟んであり、
前記紐の各端部が、前記紐通し穴から前記袋体本体の内側に通し前記紐取付板に巻き付けて取り付けてあることを特徴とする請求項１記載の手提袋。
【請求項３】
さらに、上辺と底辺と一対の側辺とを有する第２装飾部と、前記側辺それぞれに連設され前記第２装飾部の裏側に折り込み前記正面部に取り付ける側片部と、前記底辺に連設され前記側片部よりも前記正面部側で前記第２装飾部の裏側に折り込む下片部と、を有し、前記正面部に取り付けることにより上部が開口したポケット状を形成するポケット用装飾片を備えることを特徴とする請求項１又は請求項２記載の手提袋。
【考案の詳細な説明】
【技術分野】
【０００１】
本考案は、上部が開口し、販促品等の収納品を収納して手で提げて用いることができる手提袋に関する。
【背景技術】
【０００２】
従来から、上部が開口しマチを設けて収納品が収納でき紐等により手で提げられるようにした紙等の折り畳み可能な袋体の手提袋は、手軽で多用されるアイテムであり、例えば、ボトル収容に適する手提袋等が知られている（例えば、特許文献１参照）。
【先行技術文献】
【特許文献】
【０００３】
【特許文献１】特許第４２２３０１９号公報
【考案の概要】
【考案が解決しようとする課題】
【０００４】
しかし、上述したような従来の手提袋では、外観の個性が乏しく、プレゼントを入れて渡すときのインパクトを与えにくく、販促品を入れて配る際に差別化を図りにくいという問題があった。
【０００５】
そこで、本考案は、このような従来の手提袋が有していた問題点を踏まえ、外観に個性を持たせることができ、贈答や販促にも適する手提袋を提供することを目的とする。
【課題を解決するための手段】
【０００６】
本考案の第１の態様は、正面部と、背面部と、マチとなる一対の側面部と、を有し、下側が底面部で閉塞され上側に開口部を有する折り畳み可能な有底角筒状の袋体本体を有する手提袋であって、
（Ａ）前記一対の側面部が、それぞれ、前記開口部に向けて伸びるマチ縦折線を有し、前記マチ縦折線に直交して前記側面部を上下に分断する切り込みを有し、前記切り込みより上側は、前記マチ縦折線に沿って山折りに折り曲げることにより正面視で袖状の張出部となり、
（Ｂ）底辺の中点と対となる頂点とを結ぶ中線に沿って切れ目を有し前記切れ目に沿って観音開きに開くことによって前襟状となる逆三角形の第１装飾部と、前記第１装飾部の両斜辺に連設され前記正面部に取り付ける接着部と、を有する襟用装飾片を備えることを特徴とする手提袋を提供する。
【０００７】
さらに、前記正面部と前記背面部と前記側面部のそれぞれの上端に連設され前記袋体本体の内側に折り込んで形成される折込部を備え、
前記正面部及び前記背面部が、それぞれの上端に、手提用の紐を通す紐通し穴を２カ所ずつ設けてあり、
前記正面部と前記折込部との間と、前記背面部と前記折込部との間には、それぞれ、紐取付板が挟んであり、
前記紐の各端部が、前記紐通し穴から前記袋体本体の内側に通し前記紐取付板に巻き付けて取り付けてあることが好ましい。
【０００８】
また、さらに、上辺と底辺と一対の側辺とを有する第２装飾部と、前記側辺それぞれに連設され前記第２装飾部の裏側に折り込み前記正面部に取り付ける側片部と、前記底辺に連設され前記側片部よりも前記正面部側で前記第２装飾部の裏側に折り込む下片部と、を有し、前記正面部に取り付けることにより上部が開口したポケット状を形成するポケット用装飾片を備えることが好ましい。
【考案の効果】
【０００９】
本考案の手提袋は上述したように構成されており、本考案の手提袋によれば、外観に個性を持たせることができ、贈答や販促にも適する。
【図面の簡単な説明】
【００１０】
【図１】本考案の実施例１の手提袋の斜視図である。
【図２】本考案の実施例１の手提袋の袋体本体に襟用装飾片とポケット用装飾片を取り付ける方法を示す説明図である。
【図３】本考案の実施例１の手提袋において襟用装飾片の切れ目を開いた状態を示す正面図である。
【図４】本考案の実施例１の手提袋の袋体本体の上部展開構造を示す説明図である。
【図５】本考案の実施例１の手提袋の紐取付方法を示す説明図である。
【考案を実施するための形態】
【００１１】
以下、本考案の手提袋の一実施形態について、図面を参照し実施例を用いて具体的に説明するが、本考案はこれらに限定されるものではない。
【実施例１】
【００１２】
(構成)
図１は、本考案の実施例１の手提袋の斜視図である。本考案の実施例１の手提袋１４は、正面部２と、背面部３と、マチとなる一対の側面部４ａ、４ｂと、を有し、下側が底面部５で閉塞され上側に開口部６を有する折り畳み可能な有底角筒状の袋体本体１を有する。袋体本体１には、襟用装飾片８を貼り付け第１装飾部８４で襟に見立てた装飾を施してある。
【００１３】
袋体本体１には、また、ポケット用装飾片９を貼り付け第２装飾部９６でポケットに見立てた装飾を施してある。袋体本体１の上部には手で袋を提げられるように紐１０ａ、１０ｂが取り付けてある。袋体本体１の側面部４ａ、４ｂには、張出部４５ａ、４５ｂが設けてある。
【００１４】
本実施例では、袋体本体１は丈夫で厚手の紙製であるが、材質はコート紙でもクラフト紙でもよく、また、一部補強した不織布やポリエチレンや布地等でもよい。本実施例では、襟用装飾片８及びポケット用装飾片９は薄手のクラフト紙であるが、不織布やポリエチレンや布地等でもよい。本実施例では、紐１０ａ、１０ｂはアクリル製平紐であるが、縄紐でもテープでもよく、材質も、紙でも麻でも綿でも、ポリエステルでもポリプロピレンでもよい。袋体本体１の大きさは、本実施例では、Ａ４サイズのカタログやパンフレット類、花束、カップ等を入れたギフトボックスが余裕をもって入る大きさであるが、大きいサイズでも小さいサイズでもよく、特に限定されない。
【００１５】
図２は、本考案の実施例１の手提袋の袋体本体に襟用装飾片とポケット用装飾片を取り付ける方法を示す説明図である。本考案の実施例１の手提袋１４は、一方の側面部４ａは、開口部６に向けて伸びるマチ縦折線４６ａを有し、マチ縦折線４６ａに直交して側面部４ａを上下に分断する切り込み４４ａを有し、切り込み４４ａより上側は、マチ縦折線４６ａに沿って山折りに折り曲げることにより正面視で袖状の張出部４５ａとなる。側面部４ａと反対側に設けられた側面部４ｂは、開口部６に向けて伸びるマチ縦折線（図示省略）を有し、マチ縦折線（図示省略）に直交して側面部４ｂを上下に分断する切り込み４４ｂを有し、切り込み４４ｂより上側は、マチ縦折線（図示省略）に沿って山折りに折り曲げることにより正面視で袖状の張出部４５ｂとなる。張出部により手提袋の外観に個性を持たせることができる。図２では、側面部４ａの方は切り込みより上側を張り出した後の状態、側面部４ｂの方は張り出す前の状態を示す。
【００１６】
切り込み４４ａ、４４ｂは、本実施例では中間に接続点のない切り込みであるが、切り込みは、１点以上、切り込みの上側部分と下側部分を接続する接続点を有してもよく、例えば、ミシン目でもよい。また、切り込みは、手で上側部分と下側部分に切り離せるほどの切り筋を裏側又は表側に設けたものでもよい。
【００１７】
側面部４ａにおいて、マチ縦折線４６ａの下部には、側面部４ａの下部両隅に向かう三角折線４７ａを有する。側面部４ｂについても同様である。背面部４には、三角折線４７の頂点の高さの部分に横一線にマチ横折線（図示省略）が設けられており、それぞれ谷折りすることで、袋体本体１は折り畳むことができる。
【００１８】
また、本考案の実施例１の手提袋１４では、図１及び図２に示したように、正面部２に、上辺と底辺と一対の側辺とを有する第２装飾部９６と、側辺それぞれに連設され第２装飾部９６の裏側に折り込み正面部２に取り付ける側片部９１と、底辺に連設され側片部９１よりも正面部側で第２装飾部９６の裏側に折り込む下片部９５と、を有し、正面部３に取り付けることにより上部が開口したポケット状を形成するポケット用装飾片９を備える。
【００１９】
第２装飾部９６において、底辺に沿って底辺側折り筋９３を設けてあり、側辺に沿って側辺側折り筋９２を設けてある。また、側片部９１は、側辺側折り筋９２を介して第２装飾部９６に連設されている。また、下片部９５は、底辺側折り筋９３を介して第２装飾部９６に連設されている。本実施例では、側片部９１には糊等の接着剤が塗ってあり、側片部９１を側辺側折り筋９２に沿って第２装飾部９６の裏側に折り曲げた後に、接着剤を塗っていない下片部９５を底辺側折り筋９３に沿って第２装飾部９６の裏側に折り曲げ、正面部２にポケット用装飾片９を貼り付ける。なお、本実施例においては、折り筋はスジ押し機によって設けている。
【００２０】
ポケット用装飾片９を正面部２に貼り付けた状態において、ポケット用装飾片９は、上辺だけでなく下部も開口し、側片部９１のうち下片部９５で覆われていない部分のみで正面部２に取り付けられて、ポケットの役割を果たす。ポケット状となったポケット用装飾片９には、カードや名刺や花などの挿入物を入れることができる。したがって、袋体本体に入れたプレゼントや販促品等の収納品に添えるメッセージカードやショップカードや名刺や花などが収納品の下に埋もれるがことなく、販促効果やメッセージ伝達効果を高めることができる。
【００２１】
側片部９１が下片部９５よりポケットの内側に位置するので、ポケットに入れた挿入物が下片部９５の上部に当たることがなく、ポケット底辺まで入れ込むことができるのでミスを防止でき挿入作業が容易となる。
【００２２】
本実施例では、図２に示すように、袋体本体１に、ポケット用装飾片９を取り付ける位置にポケット用ガイド線１２を設けてある。本実施例では、ポケット用装飾片９は、縦長で、第２装飾部９６の短辺が一般的な名刺の短辺より少し大きく、第２装飾部９６の長辺が一般的な名刺の短辺より少し小さい。したがって、ポケット状となったポケット用装飾片９から名刺の一部が見え取り出しやすい。ポケット用装飾片の大きさは限定されず、用途に応じて適宜選択できる。
【００２３】
図３は、本考案の実施例１の手提袋において襟用装飾片の切れ目を開いた状態を示す正面図である。本考案の実施例１の手提袋１４は、図１、図２及び図３に示したように、正面部２の上方中央に、底辺８６の中点８７と対となる頂点８５とを結ぶ中線に沿って切れ目８３を有し切れ目８３に沿って観音開きに開くことによって前襟状となる逆三角形の第１装飾部８４と、第１装飾部８４の両斜辺８８ａ、８８ｂに連設され正面部２に取り付ける接着部８１と、を有する襟用装飾片８を備える。本実施例では、襟用装飾片８の幅は、紐１０ａ、１０ｂの取り付け幅と同程度であるが、襟用装飾片の大きさはこれに限定されず、用途に応じて適宜選択できる。
【００２４】
第１装飾部８４の斜辺には、斜辺に沿って斜辺側折り筋８２ａ、８２ｂが設けられている。斜辺側折り筋８２ａ、８２ｂは、切れ目８３に沿って第１装飾部８４を観音開きに開く際、開いた第１装飾部８４の左側及び右側を、それぞれ斜辺側折り筋８２ａ、８２ｂに沿って下向きに折るガイドとなる。第１装飾部により手提袋の外観に個性を持たせることができる。特に第１装飾部と張出部との組み合わせにより、手提袋を襟付のシャツに見立てることができ、見る者にインパクトを与えることができる。したがって、販促効果やサプライズ効果を高めることができる。本実施例においては、さらにポケット用装飾片との相乗効果で、販促効果やサプライズ効果やメッセージ伝達効果を高めることができる。
【００２５】
切れ目８３は、本実施例では、切れ目の中間に、切れ目の左側部分と右側部分を接続する２点の接続点を有する切り込みであるが、切れ目は、接続点を有しないものでもよく、１点以上の接続点を有してもよく、例えば、ミシン目でもよい。また、切れ目は、手で左側部分と右側部分に切り離せるほどの切り筋を裏側又は表側に設けたものでもよい。第１装飾部の切れ目は、上述した側面部の切り込みと同じ形態であってもよい。本実施例では、図２に示すように、袋体本体１に、襟用装飾片８を取り付ける位置に襟用ガイド線１１を設けてある。
【００２６】
図４は、本考案の実施例１の手提袋の袋体本体の上部展開構造を示す説明図である。本考案の実施例１の手提袋１４では、袋体本体１において、正面部２と背面部３と側面部４ａ、４ｂのそれぞれの上端に連設され袋体本体１の内側に折り込んで形成される折込部７を備える。正面部２の上端は折込線２１で、背面部３の上端は折込線３１で、側面部４ａ、４ｂの上端は折込線４１ａ、４１ｂであり、折込線２１と折込線３１と折込線４１ａ、４１ｂとは、折込部７が袋体本体１の内側に折り込まれた状態で開口部６を構成する。
【００２７】
図５は、本考案の実施例１の手提袋の紐取付方法を示す説明図である。正面部２は、上端に、手提用の紐１０ａを通す紐通し穴２２ａ、２２ｂを設けてあり、正面部２と折込部７との間には、紐取付板（図示省略）が挟んであり、紐１０ａの端部は、紐通し穴２２ａ、２２ｂから袋体本体１の内側に通し紐取付板（図示省略）に巻き付けて取り付けてある。また、背面部３は、上端に、手提用の紐１０ｂを通す紐通し穴３２ａ、３２ｂを設けてあり、背面部３と折込部７との間には、紐取付板１３が挟んであり、紐１０ｂの端部は、紐通し穴３２ａ、３２ｂから袋体本体１の内側に通し紐取付板１３に巻き付けて取り付けてある。
【００２８】
本実施例では、紐の端部が正面部の表面上にないため、正面部の意匠性を損なうことがなく、また、紐の端部が折込部で覆われているため、袋体本体内部にも紐が外部に現れず美観に優れる。また、紐を紐取付板の両面で支えるとともに、紐取付板を正面部や背面部の上端で支えるので、強度にも優れる。特に第１装飾部と張出部との組み合わせにより、手提袋を襟付のシャツに見立てる効果が高くなり、意匠性をさらに高めることができる。したがって、販促効果やサプライズ効果を高めることができる。本実施例においては、さらにポケット用装飾片との相乗効果で、販促効果やサプライズ効果やメッセージ伝達効果をさらに高めることができる。
【００２９】
本実施例によれば、容易に袖と襟のあるシャツ型の手提袋となるので、外観に個性を持たせることができ、贈答や販促にも適する。張出部は外向きに引き出すだけで容易に袖の形となり、襟用装飾紙は紙片の切り込みを切り開いて折り返すだけで容易に襟の形となるので、持ち運び時はコンパクトで有りながら、渡す際には印象深い手提袋とすることができる。
【００３０】
また、本実施例によれば、紐穴部分が折込線上にあるのでシャツ型のデザインの邪魔にならず、かつ紐が取れにくいので、意匠性に優れ販促効果が高く、かつ重量物でも収納することができる。
【００３１】
また、本実施例によれば、ポケットにメッセージカードや名刺を入れることができる。したがって、メッセージカードや名刺が、手提袋の袋体本体に収納する収納品と紛れることがなく、利便性が高い。
【００３２】
さらに、本実施例によれば、ポケットの下端部が左右の接着部分より正面部側となるので、名刺やメッセージカード等をポケット部に入れた際にカードの下辺がポケット部の下端部の折り返しに当たらず、奥まで入れることができる。
【００３３】
なお、本考案は、上記実施例で述べた実施の形態に限定されず、その考案の趣旨を逸脱しない範囲で種々と変形実施が可能である。例えば、袋体本体に花柄やドット柄など、様々な意匠やデザインを施してもよい。
【符号の説明】
【００３４】
１                  袋体本体
２                  正面部
２１                折込線
２２ａ、ｂ          紐通し穴
３                  背面部
３１                折込線
３２ａ、ｂ          紐通し穴
４ａ、ｂ            側面部
４１ａ、ｂ          折込線
４４ａ、ｂ          切り込み
４５ａ、ｂ          張出部
４６ａ              マチ縦折線
４７ａ              三角折線
５                  底面部
６                  開口部
７                  折込部
８                  襟用装飾片
８１                接着部
８２ａ、ｂ          斜辺側折り筋
８３                切れ目
８３１ａ、ｂ        接続点
８４                第１装飾部
８５                頂点
８６                底辺
８７                中点
８８ａ、ｂ          斜辺
９                  ポケット用装飾片
９１                側片部
９２                側辺側折り筋
９３                底辺側折り筋
９５                下片部
９６                第２装飾部
１０ａ、ｂ          紐
１１                襟用ガイド線
１２                ポケット用ガイド線
１３                紐取付板
１４                手提袋
【図１】
0003218812.tif 000003
【図２】
0003218812.tif 000004
【図３】
0003218812.tif 000005
【図４】
0003218812.tif 000006
【図５】
0003218812.tif 000007